(57)【要約】  【課題】  画像, 音声等のコンテンツのデータを位置情報及び／又は時刻情報（年月日時分秒）をキーとして再生することにより、コンテンツの従来とは異なる種々の利用方法を可能にする。  【解決手段】  画像, 音声等のコンテンツのデータを撮像部２１で撮像又はマイクロフォン２３で録音することにより取得した際に同時にその場所の位置情報をたとえばＧＰＳシステムを利用した位置検出部１３で、時刻情報を計時部１５により取得してコンテンツＤＢ１９０に登録する。位置情報及び／又は時刻情報をキーとしてコンテンツＤＢ１９０を検索して画像, 音声等のコンテンツのデータを位置情報及び／又は時刻情報に従って自動的に再生する。【選択図】        図１
2006338553.tif 000002
【特許請求の範囲】
【請求項１】
再生されるべきコンテンツのデータを記憶するコンテンツ記憶手段と、該コンテンツ記憶手段が記憶しているコンテンツのデータを再生する再生手段とを備えたコンテンツ再生装置において、
前記コンテンツ記憶手段は、再生されるべきコンテンツのデータそれぞれに対応して位置情報を記憶するように構成されており、
与えられた位置情報に従って前記コンテンツ記憶手段からコンテンツのデータを読み出して前記再生手段に再生させるコンテンツ処理手段を備えること
を特徴とするコンテンツ再生装置。
【請求項２】
位置情報の入力を受け付ける位置情報受付手段を更に備え、
前記コンテンツ処理手段は前記位置情報受付手段が受け付けた位置情報に従って前記コンテンツ記憶手段からコンテンツのデータを読み出して前記再生手段に再生させるようにしてあること
を特徴とする請求項１に記載のコンテンツ再生装置。
【請求項３】
位置情報を自動的に取得する位置情報取得手段を更に備え、
前記コンテンツ処理手段は前記位置情報取得手段が取得した位置情報に従って前記コンテンツ記憶手段からコンテンツのデータを読み出して前記再生手段に再生させるようにしてあること
を特徴とする請求項１に記載のコンテンツ再生装置。
【請求項４】
コンテンツのデータの入力を受け付けるコンテンツ受付手段を更に備え、
前記コンテンツ処理手段は前記コンテンツ受付手段が受け付けたコンテンツのデータに位置情報を対応付けて前記コンテンツ記憶手段に記憶させるようにしてあること
を特徴とする請求項１乃至３のいずれか一つに記載のコンテンツ再生装置。
【請求項５】
コンテンツのデータを取得するコンテンツデータ取得手段を更に備え、
前記コンテンツ処理手段は前記コンテンツデータ取得手段が取得したコンテンツのデータに位置情報を対応付けて前記コンテンツ記憶手段に記憶させるようにしてあること
を特徴とする請求項１乃至３のいずれか一つに記載のコンテンツ再生装置。
【請求項６】
前記位置情報受付手段は、前記コンテンツ記憶手段に記憶されるべき又は前記コンテンツ記憶手段に記憶されているコンテンツのデータに対応付けるための位置情報の入力を受け付けるようにしてあることを特徴とする請求項４に記載のコンテンツ再生装置。
【請求項７】
前記位置情報取得手段は、前記コンテンツ記憶手段に記憶されるべき又は前記コンテンツ記憶手段に記憶されているコンテンツのデータに対応付けるための位置情報を取得するようにしてあることを特徴とする請求項４に記載のコンテンツ再生装置。
【請求項８】
再生されるべきコンテンツのデータを記憶するコンテンツ記憶手段と、該コンテンツ記憶手段が記憶しているコンテンツのデータを再生する再生手段とを備えたコンテンツ再生装置において、
前記コンテンツ記憶手段は、再生されるべきコンテンツのデータそれぞれに対応して時刻情報を記憶するように構成されており、
与えられた時刻情報に従って前記コンテンツ記憶手段からコンテンツのデータを読み出して前記再生手段に再生させるコンテンツ処理手段を備えること
を特徴とするコンテンツ再生装置。
【請求項９】
時刻情報の入力を受け付ける時刻情報受付手段を更に備え、
前記コンテンツ処理手段は前記時刻情報受付手段が受け付けた時刻情報に従って前記コンテンツ記憶手段からコンテンツのデータを読み出して前記再生手段に再生させるようにしてあること
を特徴とする請求項８に記載のコンテンツ再生装置。
【請求項１０】
時刻情報を自動的に取得する時刻情報取得手段を更に備え、
前記コンテンツ処理手段は前記時刻情報取得手段が取得した時刻情報に従って前記コンテンツ記憶手段からコンテンツのデータを読み出して前記再生手段に再生させるようにしてあること
を特徴とする請求項８に記載のコンテンツ再生装置。
【請求項１１】
コンテンツのデータの入力を受け付けるコンテンツ受付手段を更に備え、
前記コンテンツ処理手段は前記コンテンツ受付手段が受け付けたコンテンツのデータに時刻情報を対応付けて前記コンテンツ記憶手段に記憶させるようにしてあること
を特徴とする請求項８乃至１０のいずれか一つに記載のコンテンツ再生装置。
【請求項１２】
コンテンツのデータを取得するコンテンツデータ取得手段を更に備え、
前記コンテンツ処理手段は前記コンテンツデータ取得手段が取得したコンテンツのデータに時刻情報を対応付けて前記コンテンツ記憶手段に記憶させるようにしてあること
を特徴とする請求項８乃至１０のいずれか一つに記載のコンテンツ再生装置。
【請求項１３】
前記時刻情報受付手段は、前記コンテンツ記憶手段に記憶されるべき又は前記コンテンツ記憶手段に記憶されているコンテンツのデータに対応付けるための時刻情報の入力を受け付けるようにしてあることを特徴とする請求項１１に記載のコンテンツ再生装置。
【請求項１４】
前記時刻情報取得手段は、前記コンテンツ記憶手段に記憶されるべき又は前記コンテンツ記憶手段に記憶されているコンテンツのデータに対応付けるための時刻情報を取得するようにしてあることを特徴とする請求項１１に記載のコンテンツ再生装置。
【請求項１５】
前記コンテンツのデータは音声のデータ、文字のデータ、静止画像のデータ及び／又は動画像のデータ、または音声のデータに文字のデータ、静止画像のデータ又は動画像のデータを組み合わせたデータであり、
前記再生手段は音声のデータ、文字のデータ、静止画像のデータ又は動画像のデータのいずれかを、または音声のデータと、文字のデータ、静止画像のデータ又は動画像のデータのいずれかとを、または音声のデータに文字のデータ、静止画像のデータ又は動画像のデータを組み合わせたデータを再生するようにしてあること
を特徴とする請求項１乃至１４のいずれか一つに記載のコンテンツ再生装置。
【発明の詳細な説明】
【技術分野】
【０００１】
本発明は、コンテンツのデータ、たとえば音声, 静止画像, 動画像等のコンテンツのデータを再生するコンテンツ再生装置に関し、より具体的には個々のコンテンツに対応付けられている位置情報, 時刻情報に従ってコンテンツを再生するようにしたコンテンツ再生装置に関する。
【背景技術】
【０００２】
画像の撮影方法、特に静止画像の撮影方法に関しては、デジタルカメラの普及に伴なって旧来の銀塩フィルムを使用する場合に比して非常に容易且つ簡便化され、更に携帯電話機, ＰＤＡ, 携帯型パーソナルコンピュータ等にデジタルカメラが内蔵されるに至っては何時でも何処でも静止画像のみならず動画像をも非常に手軽に撮影することが可能になっている。またこのことは音声に関しても同様である。
【０００３】
しかし、あまりにも手軽に静止画像, 動画像を撮影することが可能になると、個々の画像に関して何時、何処で撮影したのかが判然としなくなる可能性が高い。撮影時刻に関しては撮影した画像のデジタルデータに撮影時刻のデータを付属させることが可能であるが、撮影場所（位置）に関しては撮影者の記憶に頼るか、その都度、文字データとして地名を入力して対応付ける必要がある。
【０００４】
このことは、デジタルカメラ等で撮影した画像を再生する場合に、撮影時刻（日時）で検索することは可能ではあっても、撮影場所で検索する場合には文字データとして対応付けられている地名で検索することが可能な場合があり得るのみにすぎないことを意味している。また、銀塩フィルムで撮影した写真の画像をパーソナルコンピュータ等にデジタルデータとして取り込んだ場合にも、それだけではたとえ画像中に撮影時刻（日時）が写し込まれていたとしても、撮影時刻（日時）、撮影場所で検索することはできない。更に、インターネットからダウンロードした画像、電子メールで送付されてきた画像等は撮影時刻（日時）も撮影場所も不明である場合が多い。従って、このような画像データに関しては、撮影時刻（日時）及び地名を文字入力する必要がある。
【０００５】
以上のような事情は画像のデータに関するのみならず音声のデータに関しても基本的には同様である。ところで、音声のデータとしては一般的には音楽のデータが考えられるが、その他にもたとえばインタビュー, 会議, 講演会等の人間の肉声、その他の種々の趣味又は専門的な研究の分野（野鳥等の野生動物の鳴き声、鉄道車輌, 自動車等の走行音、飛行機の飛行音等）において種々の音声のデータが収集されており、これらの再生に際しても録音時刻（日時）、録音場所で検索することができれば便利である。
【０００６】
特許文献１には、携帯電話機の位置に応じて待ち受け画面を自動的に変更する発明が開示されている。しかし、この特許文献１に開示されている発明では、携帯電話機の位置に応じて表示されるのは待ち受け画面のみである。
【０００７】
また特許文献２には、携帯電話機の位置に応じて着信メロディを自動的に変更する発明が開示されている。しかし、この特許文献２に開示されている発明では、携帯電話機の位置応じて表示されるのは着信メロディのみである。
【０００８】
更に、たとえば自動車での移動中に現在位置に応じた種々の映像及び音声のデータ、たとえば現在位置に相応しい音楽、現在位置に対応した種々の案内等が画像及び／又は音声で自動的に再生されれば便利である。このような機能はたとえばカーナビゲーションシステムにおいて一部実用化されてはいるが、再生される画像及び／又は音声は一般的にはカーナビゲーションシステムの製造者又は地図データの製造者，提供者等が用意したいわば御仕着せである。従って、たとえば自動車の運転者が以前に旅行した際に撮影した画像あるいは音声として記録した感想等を自動車の走行中に現在位置に応じて再生するようなことはできない。
【０００９】
しかし、カーナビゲーションシステムによる御仕着せの案内ではなく、運転者個人が作成したたとえば眺望のよい地点の案内及びその地点での画像、再訪してみたい飲食店の案内等を作成者自身、または友人・知人が利用できれば、従来とは異なるカーナビゲーションシステムの利用方法が可能になる。このことは更に、一般に市販されているカーナビゲーションシステムではカバーしていない特殊な趣味的又は研究分野に関して、個人的にナビゲーションシステムを作成することを可能にする。具体的にはたとえばお地蔵様, 道祖神等の研究、野生動物の研究（たとえば野鳥の鳴き声の録音等）、更には昆虫採集等を目的として自分用に、または同好の士用にナビゲーションシステムをカスタマイズしたり、又は新たに新規に作成することが可能になる。
【００１０】
また、上述のようなカーナビゲーションシステムによらず、位置検出機能（具体的にはＧＰＳ機能）を有する携帯電話機, ＰＤＡ等により同様にして画像, 音声データの再生を行なわせることも可能である。更に近年では、カーナビゲーションシステムの概念を応用したマンナビゲーションシステムが実用化されている（特許文献３参照）。このマンナビゲーションシステムは主として携帯電話機を利用した歩行者用のナビゲーションシステムであり、たとえば単なる道案内のみならず、交通機関の乗換の案内、飲食店の案内等が画像, 音声データとして再生される。しかし、このマンナビゲーションシステムにおいても、再生される画像, 音声データ等はやはり装置の製造者、あるいはサービスの提供者側の御仕着せであることに変わりはない。
【００１１】
更に、デスクトップタイプのパーソナルコンピュータにおいても、位置情報を指定することにより画像, 音声データの再生を行なわせることが可能である。具体的には、従来の地図ソフトウェアにおいても、パーソナルコンピュータの表示装置に表示された地図画像上でユーザが位置を指定して任意の画像, 音声, テキスト等のデータを登録することによって関連付けさせることが可能である。しかしこのような地図ソフトでは、登録したデータしか表示（再生）することができず、また対象となる画像等のデータが多数になると登録作業が煩雑になることは否めない。    
【００１２】
また更に、パーソナルコンピュータでスライドショーを実行する際に、予め設定した音楽をＢＧＭとして再生することが可能なアプリケーションプログラムも存在する。このようなアプリケーションプログラムでは複数の画像データをグループ化し、各グループに含まれる複数の画像データを一連のスライドショーとして再生表示するが、その際にＢＧＭとして再生される音楽が固定的に対応付けられている。従って、このようなアプリケーションプログラムの利用に際しては、スライドショーの対象となる画像データを予めグループ化（一般にアルバムと称される）しておく必要があり、また各グループのＢＧＭとして使用する音楽を指定しておく必要もある。従って、スライドショーが実行される場合には予めグループ化された同一の写真（画像データ）が毎回再生表示され、同一の音楽がＢＧＭとして使用されていた。
【特許文献１】特開２００４−３０４３４０公報
【特許文献２】特開２００５−６５０７３号公報
【特許文献３】特開２００１−２８９６６４公報
【発明の開示】
【発明が解決しようとする課題】
【００１３】
以上のように、従来も位置情報に対応して自動的に種々のコンテンツ、たとえば画像, 音声データを再生するシステムが実用化されてはいるが、たとえば特許文献１及び特許文献２に開示されているように、携帯電話機の待ち受け画面又は着信メロディを携帯電話機の位置に応じて自動的に変更する程度であり、また特許文献３に開示されているように、製造者又はサービスの提供者側が予め用意した情報であった。また、地図画像上のユーザが指定した位置にユーザが任意の画像, 音声データ等を登録して再生することが可能な地図ソフトに関しては登録のための操作が煩瑣であることは否めない。
【００１４】
また、パーソナルコンピュータにスライドショーを実行させる場合にも、毎回同一の写真が表示され、毎回同一の音楽がＢＧＭとして使用されるという、非常に変化に乏しいスライドショーが実行できるのみであった。
【００１５】
本発明は以上のような事情に鑑みてなされたものであり、画像, 音声等のコンテンツのデータを位置情報及び／又は時刻情報（年月日時分秒）をキーとして再生することにより、コンテンツの従来とは異なる種々の利用方法を可能にするコンテンツ再生装置の提供を主たる目的とする。
【００１６】
また本発明は、上述のようなコンテンツ再生装置において、コンテンツとして利用可能な画像, 音声等のデータを取得し、または作成することを可能とすることをも目的とする。
【課題を解決するための手段】
【００１７】
本発明は端的には、画像, 音声等のコンテンツのデータを撮影又は録音することにより取得した際に同時にその場所の位置情報（たとえばＧＰＳシステムにより取得）及び／又はデータを取得した時刻情報（年月日時分秒）を取得し、又は画像, 音声等のデータを外部から通信により、スキャンすることにより、又はダビングすることにより取り込み、このようにして取り込んだ画像, 音声のデータに位置情報及び／又は時刻情報（年月日時分秒）を付加しておき、位置情報及び／又は時刻情報をキーとして検索して画像, 音声等のコンテンツのデータを自動的に再生するように構成したものである。
【００１８】
本発明に係るコンテンツ再生装置は、再生されるべきコンテンツのデータを記憶するコンテンツ記憶手段と、該コンテンツ記憶手段が記憶しているコンテンツのデータを再生する再生手段とを備えたコンテンツ再生装置において、前記コンテンツ記憶手段は、再生されるべきコンテンツのデータそれぞれに対応して位置情報を記憶するように構成されており、与えられた位置情報に従って前記コンテンツ記憶手段からコンテンツのデータを読み出して前記再生手段に再生させるコンテンツ処理手段を備えることを特徴とする。
【００１９】
また本発明に係るコンテンツ再生装置は、再生されるべきコンテンツのデータを記憶するコンテンツ記憶手段と、該コンテンツ記憶手段が記憶しているコンテンツのデータを再生する再生手段とを備えたコンテンツ再生装置において、前記コンテンツ記憶手段は、再生されるべきコンテンツのデータそれぞれに対応して時刻情報を記憶するように構成されており、与えられた時刻情報に従って前記コンテンツ記憶手段からコンテンツのデータを読み出して前記再生手段に再生させるコンテンツ処理手段を備えることを特徴とする。
【００２０】
このような本発明に係るコンテンツ再生装置では、再生されるべきコンテンツのデータと、個々のコンテンツのデータに対応付けられた位置情報又は時刻情報とがデータベースとしてのコンテンツ記憶手段に記憶されており、与えられた位置情報又は時刻情報に従ってコンテンツのデータがコンテンツ記憶手段から読み出されて再生される。
【００２１】
また本発明に係るコンテンツ再生装置は上記の発明において、位置情報の入力を受け付ける位置情報受付手段を更に備え、前記コンテンツ処理手段は前記位置情報受付手段が受け付けた位置情報に従って前記コンテンツ記憶手段からコンテンツのデータを読み出して前記再生手段に再生させるようにしてあることを特徴とする。
【００２２】
また本発明に係るコンテンツ再生装置は上記の発明において、時刻情報の入力を受け付ける時刻情報受付手段を更に備え、前記コンテンツ処理手段は前記時刻情報受付手段が受け付けた時刻情報に従って前記コンテンツ記憶手段からコンテンツのデータを読み出して前記再生手段に再生させるようにしてあることを特徴とする。
【００２３】
このような本発明に係るコンテンツ再生装置は上記の発明において、位置情報受付手段が受け付けた位置情報、または時刻情報受付手段が受け付けた時刻情報に従ってコンテンツのデータがコンテンツ記憶手段から読み出されて再生される。
【００２４】
また本発明に係るコンテンツ再生装置は前記の発明において、位置情報を自動的に取得する位置情報取得手段を更に備え、前記コンテンツ処理手段は前記位置情報取得手段が取得した位置情報に従って前記コンテンツ記憶手段からコンテンツのデータを読み出して前記再生手段に再生させるようにしてあることを特徴とする。
【００２５】
また本発明に係るコンテンツ再生装置は前記の発明において、時刻情報を自動的に取得する時刻情報取得手段を更に備え、前記コンテンツ処理手段は前記時刻情報取得手段が取得した時刻情報に従って前記コンテンツ記憶手段からコンテンツのデータを読み出して前記再生手段に再生させるようにしてあることを特徴とする。
【００２６】
このような本発明に係るコンテンツ再生装置は前記の発明において、自動的に取得された位置情報又は時刻情報に従ってコンテンツのデータがコンテンツ記憶手段から読み出されて再生される。
【００２７】
また本発明に係るコンテンツ再生装置は上記の各発明のいずれか一つにおいて、コンテンツのデータの入力を受け付けるコンテンツ受付手段を更に備え、前記コンテンツ処理手段は前記コンテンツ受付手段が受け付けたコンテンツのデータに位置情報を対応付けて前記コンテンツ記憶手段に記憶させるようにしてあることを特徴とする。
【００２８】
また本発明に係るコンテンツ再生装置は上記の各発明のいずれか一つにおいて、コンテンツのデータの入力を受け付けるコンテンツ受付手段を更に備え、前記コンテンツ処理手段は前記コンテンツ受付手段が受け付けたコンテンツのデータに時刻情報を対応付けて前記コンテンツ記憶手段に記憶させるようにしてあることを特徴とする。
【００２９】
このような本発明に係るコンテンツ再生装置は上記の各発明のいずれか一つにおいて、外部から受け付けられたコンテンツのデータに位置情報又は時刻情報が対応付けられてコンテンツ記憶手段に記憶される。
【００３０】
また本発明に係るコンテンツ再生装置は前記の各発明の内のいずれか一つにおいて、コンテンツのデータを取得するコンテンツデータ取得手段を更に備え、前記コンテンツ処理手段は前記コンテンツデータ取得手段が取得したコンテンツのデータに位置情報を対応付けて前記コンテンツ記憶手段に記憶させるようにしてあることを特徴とする。
【００３１】
また本発明に係るコンテンツ再生装置は前記の各発明の内のいずれか一つにおいて、コンテンツのデータを取得するコンテンツデータ取得手段を更に備え、前記コンテンツ処理手段は前記コンテンツデータ取得手段が取得したコンテンツのデータに時刻情報を対応付けて前記コンテンツ記憶手段に記憶させるようにしてあることを特徴とする。
【００３２】
このような本発明に係るコンテンツ再生装置は前記の各発明の内のいずれか一つにおいて、自身取得したコンテンツのデータに位置情報又は時刻情報が対応付けられてコンテンツ記憶手段に記憶される。
【００３３】
また本発明に係るコンテンツ再生装置は前記の発明において、前記位置情報受付手段は、前記コンテンツ記憶手段に記憶されるべき又は前記コンテンツ記憶手段に記憶されているコンテンツのデータに対応付けるための位置情報の入力を受け付けるようにしてあることを特徴とする。
【００３４】
また本発明に係るコンテンツ再生装置は前記の発明において、前記時刻情報受付手段は、前記コンテンツ記憶手段に記憶されるべき又は前記コンテンツ記憶手段に記憶されているコンテンツのデータに対応付けるための時刻情報の入力を受け付けるようにしてあることを特徴とする。
【００３５】
このような本発明に係るコンテンツ再生装置は前記の発明において、コンテンツ記憶手段にこれから記憶されるべきコンテンツのデータに、または既にコンテンツ記憶手段に記憶されているコンテンツのデータに対応付けられる位置情報又は時刻情報が外部から入力される。
【００３６】
また本発明に係るコンテンツ再生装置は前記の発明において、前記位置情報取得手段は、前記コンテンツ記憶手段に記憶されるべき又は前記コンテンツ記憶手段に記憶されているコンテンツのデータに対応付けるための位置情報を取得するようにしてあることを特徴とする。
【００３７】
また本発明に係るコンテンツ再生装置は前記の発明において、前記時刻情報取得手段は、前記コンテンツ記憶手段に記憶されるべき又は前記コンテンツ記憶手段に記憶されているコンテンツのデータに対応付けるための時刻情報を取得するようにしてあることを特徴とする。
【００３８】
このような本発明に係るコンテンツ再生装置は前記の発明において、コンテンツ記憶手段にこれから記憶されるべきコンテンツのデータに、または既にコンテンツ記憶手段に記憶されているコンテンツのデータに対応付けられる位置情報又は時刻情報が自動的に取得される。
【００３９】
また本発明に係るコンテンツ再生装置は前記の各発明のいずれか一つにおいて、前記コンテンツのデータは音声のデータ、文字のデータ、静止画像のデータ及び／又は動画像のデータ、または音声のデータに文字のデータ、静止画像のデータ又は動画像のデータを組み合わせたデータであり、前記再生手段は音声のデータ、文字のデータ、静止画像のデータ又は動画像のデータのいずれかを、または音声のデータと、文字のデータ、静止画像のデータ又は動画像のデータのいずれかとを、または音声のデータに文字のデータ、静止画像のデータ又は動画像のデータを組み合わせたデータを再生するようにしてあることを特徴とする。
【００４０】
このような本発明に係るコンテンツ再生装置は前記の各発明のいずれか一つにおいて、コンテンツのデータとして音声のデータ、文字のデータ、静止画像のデータ及び動画像のデータのいずれか一つ又は複数が、または音声のデータに文字のデータ、静止画像のデータ又は動画像のデータを組み合わせたデータがコンテンツ記憶手段に記憶され、音声のデータ、文字のデータ、静止画像のデータ又は動画像のデータのいずれか一つが、または音声のデータと、文字のデータ、静止画像のデータ及び動画像のデータのいずれかとが、または音声のデータに文字のデータ、静止画像のデータ又は動画像のデータを組み合わせたデータが再生される。
【発明の効果】
【００４１】
以上のような本発明に係るコンテンツ再生装置によれば、与えられた位置情報又は時刻情報に従ってコンテンツのデータがコンテンツ記憶手段から読み出されて再生されるので、コンテンツを検索するためのキーワード等が不要になり、位置情報又は時刻情報に関連させた種々のコンテンツの再生方法が可能になる。
【００４２】
また本発明に係るコンテンツ再生装置によれば上記の発明において、ユーザが入力した任意の位置情報又は時刻情報に従ってコンテンツを再生させることが可能になるので、コンテンツを検索するためのキーワード等が不要になり、ユーザが入力した任意の位置情報又は時刻情報に関連させた種々のコンテンツの再生方法が可能になる。
【００４３】
また本発明に係るコンテンツ再生装置によれば前記の発明において、自動的に取得された位置情報又は時刻情報に従ってコンテンツを再生させることが可能になるので、コンテンツを検索するためのキーワード等が不要になり、自動的に取得された位置情報又は時刻情報に関連させた種々のコンテンツの再生方法が可能になる。
【００４４】
また本発明に係るコンテンツ再生装置によれば上記の各発明のいずれか一つにおいて、ユーザが任意のコンテンツをコンテンツ記憶手段に記憶させると共に、位置情報又は時刻情報を対応付けることが可能になるので、ユーザが入力したコンテンツのデータに関して位置情報又は時刻情報に関連させた種々のコンテンツの再生方法が可能になる。
【００４５】
また本発明に係るコンテンツ再生装置によれば前記の各発明のいずれか一つにおいて、装置自身がコンテンツのデータを取得して位置情報又は時刻情報を対応付けて憶手段に記憶することが可能になるので、装置自身が取得したコンテンツのデータに関して位置情報又は時刻情報に関連させた種々のコンテンツの再生方法が可能になる。
【００４６】
また本発明に係るコンテンツ再生装置によれば前記の発明において、ユーザが外部から入力した位置情報又は時刻情報をコンテンツに対応付けることが可能になるので、それらの情報が付属していないコンテンツにもユーザが任意にそれらの情報を付与した上で、位置情報又は時刻情報に関連させた種々のコンテンツの再生方法が可能になる。
【００４７】
また本発明に係るコンテンツ再生装置によれば前記の両発明のいずれかにおいて、自動的に取得された位置情報又は時刻情報をコンテンツに対応付けることが可能になるので、コンテンツのデータが取得された時点でそれらの情報を付与した上で、位置情報又は時刻情報に関連させた種々のコンテンツの再生方法が可能になる。
【００４８】
更に本発明に係るコンテンツ再生装置によれば前記の各発明のいずれか一つにおいて、コンテンツのデータとして音声のデータ、文字のデータ、静止画像のデータ又は動画像のデータのいずれか、またはそれらを組み合わせたデータが登録されているので、種々のデータを組み合わせて再生することが可能になる。
【発明を実施するための最良の形態】
【００４９】
以下、本発明をその実施の形態を示す図面を参照して具体的に説明する。図１は本発明に係るコンテンツ再生装置を携帯電話機に適用した場合の内部構成例を示す機能ブロック図である。
【００５０】
携帯電話機１は、ＣＰＵ又はＭＰＵにより構成される制御部１１、インターネット通信可能な通信部１２、たとえばＧＰＳ等を利用して現在位置を検出するための位置検出部１３、テンキー及び十字キー等で構成される操作部１４、現在時刻としての絶対時刻（年月日時分秒）を計時する計時部１５、制御部１１による携帯電話機１の基本的な制御のためのプログラムを記憶したＲＯＭ１６、制御部１１による制御に伴なって発生する種々のデータを一時記憶するＲＡＭ１７、液晶パネル等を利用した表示部１８、書き換え可能であり且つ電源が遮断された場合にもデータを保持することが可能な不揮発性メモリ１９、通常の通話のための送受話部２０、ＣＣＤ等の撮像素子を利用して静止画及び／又は動画を撮像してデジタルデータ（たとえばＪＰＥＧ，ＭＰＥＧフォーマット等）に変換出力する撮像部２１、他の機器、たとえばパーソナルコンピュータ等とケーブルを介して、または赤外線通信（IrDA）等で通信するための外部インタフェイス２２、外部の音声を録音するためのマイクロフォン２３、音声出力のためのスピーカ２４、種々のデータフォーマット間でデータフォーマットの変換を行なうデータ変換部２５等を備えている。
【００５１】
なお、マイクロフォン２３から入力されたアナログの音声信号はＡ／Ｄ（アナログ／デジタル変換器）２３０によってデジタルの音声信号に変換される。また、スピーカ２４から発声される音声はデジタルデータの音声信号がＤ／Ａ（デジタル／アナログ変換器）２４０によってアナログの音声信号に変換された後にスピーカ２４に与えられる。なお、参照符号２４１はイヤフォン（ヘッドフォン）ジャックであり、適宜のイヤフォン（ヘッドフォン）のプラグを挿入することにより、スピーカ２４からではなくイヤフォン（ヘッドフォン）から音声を出力させることが可能になる。
【００５２】
データ変換部２５は、たとえば音声データの場合であればアナログ音声データをデジタル化したデジタル音声データを更にたとえばＭＰ３フォーマットに変換したり、その逆の変換を行なったり、あるいは外部インタフェイス２２から入力された音楽ＣＤフォーマットのデータをＭＰ３フォーマットに変換したりする。またデータ変換部２５は、画像データの場合であれば、撮像部２１で撮像された画像データ、インターネットを介して受信した、または外部インタフェイス２２から入力された種々のフォーマット、たとえばビットマップ、ＧＩＦ等のフォーマットの画像データを携帯電話機１内で扱うためのフォーマット、たとえばＪＰＥＧフォーマット等に変換し、またその逆の変換も行なう。
【００５３】
以上のような携帯電話機１の構成は基本的には公知の携帯電話機と同様である。なお、ＲＡＭ１７を不揮発性メモリ１９で兼用することも可能であり、更にはＲＯＭ１６及びＲＡＭ１７を不揮発性メモリ１９で兼用することも可能である。また、マイクロフォン２３及びスピーカ２４は送受話部２０に通常備えられているマイクロフォン及びスピーカで兼用することも可能である。
【００５４】
ところで、不揮発性メモリ１９の適宜の記憶領域にはコンテンツデータベース（以下、ＤＢ）１９０及びコンピュータプログラムとしてのコンテンツ処理プログラム１９５が記憶されている。コンテンツＤＢ１９０は、コンテンツとしての静止画のデータ、動画のデータ、音声のデータ（音楽，人の肉声等）、テキストのデータをいずれも圧縮符号化されたデジタルデータとして記憶する。コンテンツ処理プログラム１９５は、後述する手順に従ってコンテンツＤＢ１９０へのコンテンツデータの登録及びコンテンツＤＢ１９０からのコンテンツのデータの検索を行なう。
【００５５】
コンテンツＤＢ１９０は、コンテンツのデータを実際に記憶するコンテンツ記憶領域１９２と、インデクス領域１９１とで構成されている。図２はインデクス領域１９１の記憶内容を示す模式図である。インデクス領域１９１は図２に模式的に示すように、各コンテンツに関して、それぞれを特定するためのＩＤ，格納アドレス，位置情報，時刻情報，コンテンツタイプ，分類の各情報が関連付けられて記憶されている。
【００５６】
格納アドレスは具体的にはそれぞれのコンテンツが記憶されているコンテンツ記憶領域１９２内のアドレスである。位置情報は具体的にはそれぞれのコンテンツが取得された時点で位置検出部１３により検出された経緯度を示す情報である。時刻情報は具体的にはそれぞれのコンテンツが取得された時点で計時部１５により計時された年月日時分秒を示す情報である。コンテンツタイプは具体的には各コンテンツが静止画であるか、動画であるか、音声であるか、テキストであるかを示す識別子である。また、分類は個々のコンテンツがたとえば飲食店に関する情報であるか、ナビゲーション（道順案内）のための情報であるか、音楽であるか、等を表す情報である。
【００５７】
従って、コンテンツＤＢ１９０からコンテンツのデータが読み出される際には、位置情報及び／又は時刻情報でインデクス領域１９１を検索して該当するコンテンツのデータをコンテンツ記憶領域１９２から読み出すことが可能である。コンテンツ記憶領域１９２から読み出されたコンテンツのデータはコンテンツタイプを示す識別子に応じて、データ変換部２５でデータフォーマットを変換された後に表示部１８で表示されるか、スピーカ２４から音声として発声されるかが制御部１１により決定される。なお、画像（静止画像，動画像）と音声とが一体化されたコンテンツも存在する。
【００５８】
撮像部２１により撮像された静止画又は動画のデータ、スピーカ２３から入力された音声のデータ、操作部１４から入力されたテキストのデータがコンテンツＤＢ１９０にコンテンツとして記憶される場合は、同時に位置検出部１３により検出された現在位置に関する位置情報と、計時部１５が計時している絶対時刻（年月日時分秒）の情報（時刻情報）とが関連付けられて記憶される。
【００５９】
また、コンテンツＤＢ１９０は、静止画，動画，音声，テキストのデータを通信部１２によりインターネットからダウンロードすることも、または電子メールで受信することも可能であり、更に外部インタフェイス２２を介して他の種々の機器、たとえばパーソナルコンピュータ等から取り込むこともできる。このようなデータに関しては、コンテンツＤＢ１９０は位置情報及び時刻情報が付属している場合はそれらを対応付けて静止画を記憶する。しかしそのようなデータに位置情報及び時刻情報の双方又はいずれか一方が付属していない場合には、コンテンツＤＢ１９０はそのデータを記憶する時点で位置検出部１３及び計時部１５から位置情報及び時刻情報を取り込んでもよいし、あるいは位置情報及び／又は時刻情報が付属していない場合にはブランクのままでもよい。
【００６０】
コンテンツタイプは、撮像部２１から取得された静止画及び動画のデータに関しては撮像が行なわれる時点のモード（静止画モード又は動画モード）により静止画又は動画であることが判別可能であり、マイクロフォン２３から入力された音声のデータは音声であることが判別可能であり、操作部１４から入力されたテキストのデータに関してはテキストデータであることが判別可能である。また通信部１２又は外部インタフェイス２２を介して取り込んだデータに関してはデータファイルにファイルの識別子が付属しているのでコンテンツタイプの識別が可能である。
【００６１】
なお、コンテンツＤＢ１９０に記憶されているデータに関して、それぞれに対応付けられている位置情報及び時刻情報は操作部１４の操作によって変更，削除，追加（最初から無い場合）等が可能である。
【００６２】
ところで、位置情報は基本的には位置検出部１３で検出された経緯度の情報である。従って、位置情報を変更する場合又は位置情報が付属していないデータに位置情報を追加する場合には何らかの手法によって経緯度の情報を入力する必要がある。このための手法としては種々の手法が可能であるが、たとえば市町村名，駅名，あるいは有名な地名，施設名を操作部１４から文字入力することにより、予め不揮発性メモリ１９に記憶させてある地名データベースから市町村の中心地点等の経緯度を読み出す方法又は通信部１２がインターネット通信により特定のウェブサイトからダウンロードする方法、不揮発性メモリ１９に予め記憶されている地図データ又は通信部１２がインターネット通信により特定のウェブサイトからダウンロードした地図データを表示部１８に表示した地図画像上で指定する方法等が考えられる。いずれにしろ、位置情報としての経緯度を取得することは従来公知の技術で可能であり、また厳密な情報ではなくある程度大まかな情報でもよい。
【００６３】
また、時刻情報に関しても変更，追加等が可能である。時刻情報の変更は将来の時刻を予め設定しておくことにより、その時刻に自動的にデータを再生させる設定等のために行なわれる。
【００６４】
図３は上述のような本発明のコンテンツ再生装置としての携帯電話機１による各種データをコンテンツのデータとして取得する際の基本的な処理手順を示すフローチャートであり、コンテンツ処理プログラム１９５に従って制御部１１により実行される。
【００６５】
携帯電話機１は通常は受信の待ち受け等の処理を行なっているが（ステップＳ１１でＮＯ、ステップＳ１２）、ユーザが操作部１４を操作することによるデータ取得の指示が与えられると（ステップＳ１１でＹＥＳ）、データを取得する。ここでデータを取得するとは、たとえば撮像部２１による画像（静止画及び／又は動画）の撮像、またはマイクロフォン２３から入力された音声の録音である。
【００６６】
データが取得されると制御部１１は、取得したデータとその時点で位置検出部１３が検出している位置情報及び計時部１５が計時している時刻情報とをコンテンツＤＢ１９０に登録する（ステップＳ１３）。なお前述した如く、取得したデータそのものはコンテンツＤＢ１９０のコンテンツ記憶領域１９２に、そのデータのコンテンツ記憶領域１９２での記憶位置を示すアドレス及び位置情報、時刻情報、コンテンツタイプ等はインデクス領域１９１に記憶される。なお、ユーザはデータが取得された際にそのデータの分類を操作部１４を操作して入力することができる。
【００６７】
このようにしてコンテンツＤＢ１９０に登録されたコンテンツのデータの位置情報及び／又は時刻情報はユーザの操作によって変更することも可能である（ステップＳ１４でＹＥＳ）。位置情報及び／又は時刻情報を変更する際は、ユーザは操作部１４を操作して所望のコンテンツのデータを再生させ、その間に（画像データ及びテキストデータの場合は表示部１８に表示されている間に、音声データの場合はスピーカ２４又はイヤフォンジャック２４１から再生されている間に）位置情報及び／又は時刻情報を再入力すれば位置情報及び／又は時刻情報が変更され（ステップＳ１５）、ステップＳ１４へ処理が戻される。なお、変更後の位置情報及び／又は時刻情報はコンテンツＤＢ１９０のインデクス１９１の対応するフィールドに登録される。
【００６８】
従って、ユーザはコンテンツＤＢ１９０に登録されたコンテンツのデータの位置情報及び／又は時刻情報を変更しない操作をするまで（ステップＳ１４でＮＯ）、所望のコンテンツのデータの位置情報及び／又は時刻情報の変更を反復することが可能である。
【００６９】
なお、フローチャートには記載していないが、通信部１２を介してインターネット上の特定のウェブサイトから種々のデータをダウンロードしてコンテンツのデータとしてコンテンツＤＢ１９０に登録することも、また電子メールで受信した種々のデータをコンテンツのデータとして１９０に登録することも、更には外部インタフェイス２２を介して種々の機器、たとえばパーソナルコンピュータ、オーディオ機器等から種々のデータを取り込んでコンテンツＤＢ１９０にコンテンツのデータとして登録することも勿論可能である。更に、携帯電話機１にＴＶ受信機能（主として地上デジタルＴＶ受信機能）又はラジオ放送の受信機能が備えられている場合にはそれらの放送を受信した音楽のデータをコンテンツＤＢ１９０に登録することも可能である。
【００７０】
図４は本発明のコンテンツ再生装置である携帯電話機１によるコンテンツの再生の際の処理手順を示すフローチャートであり、コンテンツ処理プログラム１９５に従って制御部１１により実行される。
【００７１】
まず、ユーザが自動再生を選択すると（ステップＳ２１でＹＥＳ）、制御部１１はその時点の位置情報を位置検出部１３から取得する（ステップＳ２２）。そして制御部１１は取得した位置情報に対応するコンテンツのデータをコンテンツＤＢ１９０から自動的に所定間隔で読み出して順次的に再生する（ステップＳ２３）。具体的には、制御部１１は位置検出部１３が検出した位置情報をキーとしてコンテンツＤＢ１９０のインデクス領域１９１を検索し、所定範囲内の位置情報が登録されていればその位置情報に対応付けられているアドレスを取得し、このアドレスに従ってコンテンツ記憶領域１９２からコンテンツのデータを読み出す。このようにしてコンテンツＤＢ１９０から読み出されたコンテンツのデータは表示部１８及び／又はスピーカ２４から再生出力される。なお、音声のコンテンツに関してはスピーカ２４に代えて、イヤフォン（ヘッドフォン）ジャック２４１を介して図示しないイヤフォン（ヘッドフォン）から再生することも可能である。この再生処理はユーザが終了を指示するまで（ステップＳ２４でＹＥＳ）、反復される（ステップＳ２４でＮＯ）。従って、取得した位置情報に対応するコンテンツのデータを全て再生した場合には再度同一のデータが再生される。
【００７２】
ユーザが自動再生ではなく手動再生を選択すると（ステップＳ２１でＮＯ，Ｓ３１でＹＥＳ）、制御部１１はその時点の位置情報を位置検出部１３から取得する（ステップＳ３２）。そして制御部１１は取得した位置情報に対応するコンテンツのデータの一つをユーザの手動操作に応じてコンテンツＤＢ１９０から読み出して再生する（ステップＳ３３）。この場合、ユーザが操作部１４に対して所定の操作を行なうことにより、次のデータが再生される。この再生処理はユーザが終了を指示するまで（ステップＳ３４でＹＥＳ）、反復される（ステップＳ３４でＮＯ）。従って、取得した位置情報に対応するコンテンツのデータをユーザの操作部１４の操作に応じて全て再生した後に更にユーザが再生の指示を操作部１４の操作により与えた場合には再度同一のデータが再生される。ユーザがいずれの処理も選択しない場合（Ｓ３１でＮＯ）、制御部１１は他の処理を実行し（ステップＳ３５）、ステップＳ２１へ処理を戻す。
【００７３】
以上が本発明のコンテンツ再生装置としての携帯電話機１の基本的な動作である。従って、コンテンツＤＢ１９０に上述のようにして多数のコンテンツのデータが記憶されていれば、携帯電話機１はその時点での自身の位置及び／又は時刻を表す位置情報及び／又は時刻情報をキーとしてコンテンツを検索することにより、自動的に種々のコンテンツを種々の方法で再生させることが可能になる。従って、ユーザにとっては以下のような種々の利用方法が可能になる。以下にそのいくつかについて詳述する。
【００７４】
まず、特定地点で種々の情報を取得するための利用が考えられる。この場合には、ユーザ自身がたとえば自身の勤務先、頻繁に出張する出張先等においてたとえば飲食店の情報（店の外観の画像、メニューの画像、料理そのものの画像等）をその都度撮像部２１により撮像し、分類として「飲食店」を指定してコンテンツのデータとしてコンテンツＤＢ１９０に登録しておく。この際、店の印象、料理の印象等を文字データ又は音声データでコンテンツのデータとしてコンテンツＤＢ１９０に登録しておいてもよい。なお、これらのデータがコンテンツＤＢ１９０に登録される際には、位置検出部１３により検出された位置情報及び計時部１５で計時されている時刻情報が関連付けられることはいうまでもない。
【００７５】
そして、ユーザがそのような情報が登録されている地点で分類として「飲食店」を指定してコンテンツの再生を指示すれば、制御部１１はその時点で位置検出部１３が検出している位置情報（経緯度）を中心としたある程度の範囲の経緯度、たとえば半径数ｋｍ（経緯度の差をおおよその距離に変換することは容易に可能）の範囲内の位置情報が付属するコンテンツのデータをそれぞれに付属する時刻情報の古い順又は新しい順にスライドショーの方式で数秒間隔で自動的に順次表示することが可能である。ユーザはこのスライドショーを見ることにより、食事をする店を決めることができるし、また逆にスライドショーで再生された店以外の店を選択することもできる。
【００７６】
以上のような本発明のコンテンツ再生装置の利用方法は図３及び図４に示したフローチャートによる基本的な動作例で実行可能である。
【００７７】
また、マンナビゲーションシステムとしての利用方法も可能である。たとえば、ユーザが始めてある場所へ出かける際に、最寄駅から目的地まで実際に歩きながら目標（ランドマーク）となる建物、交差点での進行方向等を撮像部２１で撮像しつつ画像データとテキストデータ又はユーザ自身の音声データとでコンテンツのデータとして登録しておく。これにより、ユーザが次に同じ場所へ出かける際、または他の人がその場所へ出かける際にそのようなコンテンツのデータを起点となる最寄駅から時刻情報の順に、又は位置情報に応じて手動で順次表示するスライドショーの方式で表示すれば、マンナビゲーションシステムとしての利用が可能になる。
【００７８】
図５は本発明のコンテンツ再生装置を上述のようなマンナビゲーションシステムとして利用する場合のデータ取得時の処理手順を示すフローチャートである。なおこのフローチャートに示す処理はコンテンツ処理プログラム１９５に従って制御部１１により実行される。
【００７９】
まず、ユーザが目的地の最寄駅、最寄バス停等のようなナビゲーションの起点となるような場所において操作部１４を操作してマンナビゲーションシステム登録モードを指定すると制御部１１はマンナビゲーションシステム登録モードを設定する（ステップＳ４１でＹＥＳ）。それ以外の場合は (ステップＳ４１でＮＯ）、制御部１１はたとえば着信の待ち受け処理等の他の処理を実行する（ステップＳ４２）。
【００８０】
マンナビゲーションシステム登録モードが設定された後、制御部１１はデータの取得を待機する状態になる（ステップＳ４３でＮＯ）。そして、ユーザの操作によりデータの取得（撮像部２１による静止画，動画データの取得、マイクロフォン２３による音声データの取得、操作部１４によるテキストデータの取得等）が行なわれると（ステップＳ４３でＹＥＳ）、制御部１１はその時点の位置情報及び時刻情報をそれぞれ位置検出部１３及び計時部１５から取得し（ステップＳ４４）、これらの情報、即ち取得したデータ，位置情報，時刻情報，分類（マンナビゲーションシステム登録モードが設定されている間の分類は全てマンナビゲーションになる）をコンテンツＤＢ１９０に登録する（ステップＳ４５）。
【００８１】
目的地に到着するまで以上のようにしてユーザはランドマークになる建物等、交差点の画像及び進行方向に関する情報等を画像データ，音声データ，テキストデータのいずれか又はそれらの組み合わせで登録してゆく（ステップＳ４６でＮＯ、ステップＳ４３へ戻る）。そして、ユーザが目的地に到着して操作部１４の操作によりマンナビゲーションシステム登録モードの終了を指示すると（ステップＳ４６でＹＥＳ）、制御部１１はこのマンナビゲーションシステム登録モードを終了する。
【００８２】
図６及び図７は上述のようにして登録されたマンナビゲーションシステム用のコンテンツのデータを再生する処理、換言すれば携帯電話機１がマンナビゲーションシステムとして実際に利用される場合の処理手順を示すフローチャートである。なお、この図６及び図７に示すフローチャートの処理はコンテンツ処理プログラム１９５に従って制御部１１により実行される。
【００８３】
ユーザが目的地の最寄駅、最寄バス停等のナビゲーションの起点において操作部１４を操作してマンナビゲーションシステム実行モードを指定すると制御部１１はマンナビゲーションシステム実行モードを設定する（ステップＳ５１でＹＥＳ）。それ以外の場合は (ステップＳ５１でＮＯ）、制御部１１はたとえば着信の待ち受け処理等の他の処理を実行する（ステップＳ５２）。マンナビゲーションシステム実行モードの設定に応じて制御部１１は位置検出部１３が検出している位置情報を取得し（ステップＳ５３）、コンテンツＤＢ１９０に登録されているコンテンツのデータから、取得した位置情報に対応するマンナビゲーションの分類の内の最も時刻情報が古いコンテンツのデータを検索して再生する（ステップＳ５４）。この後、次データの再生操作が行われるまでは（ステップＳ５５でＮＯ）、そのままの表示状態が維持される。
【００８４】
ここで再生されるデータがたとえば駅前広場の画像であって進行方向が不明であるような場合はユーザは操作部１４を操作して次のデータの再生を指示する（ステップＳ５５でＹＥＳ）。これに応じて制御部１１は再度位置検出部１３から位置情報を取得し（ステップＳ５６）、取得した位置情報に対応するマンナビゲーションの分類のデータをコンテンツＤＢ１９０から検索する（ステップＳ５７）。該当データが複数登録されている場合（ステップＳ５８でＹＥＳ）、制御部１１は再生中のデータが含まれているか否かを判断する（ステップＳ５９）。現在再生中のデータが含まれている場合は（ステップＳ５９でＹＥＳ）、制御部１１はそれらのデータの内の時刻情報が再生中のデータの時刻情報の次であるデータを再生する（ステップＳ６０）。
【００８５】
従って、前述したように最初に駅前広場の画像が表示された場合に次に再生されたデータが「駅前広場を右へ行く」というようなテキストデータであれば、ユーザはこのテキストデータに従って駅前広場を右へ行けばよいことになる。
【００８６】
先のステップＳ５７での検索の結果、該当データが存在しない場合は（ステップＳ５８でＮＯ，Ｓ６１でＮＯ）、制御部１１は上述したステップＳ６０の処理を実行することにより、位置情報とは関係無く、現在再生中のデータの次の時刻情報を有するデータを再生する。このような状況は登録モード時にデータが取得された２地点間にユーザ（携帯電話機１）が位置している状況に対応しており、ユーザには通常は進行方向（道順）が判明している場合が多い。従って、ユーザは再生されているデータに対応する地点まで進行すればよいことになる。但し、その間に道に迷ったとユーザが判断した場合にはユーザは操作部１４を操作して前のデータを再生させる指示を与えることが可能である（ステップＳ６３でＹＥＳ）。これに応じて制御部１１は現在再生中のデータの直前に再生したデータを再度再生するので（ステップＳ６４）、ユーザはその再生されたデータが取得された位置へ戻ることができる。
【００８７】
また、先のステップＳ５７での検索の結果、該当データが１個のみ存在する場合は（ステップＳ５８でＮＯ，Ｓ６１でＹＥＳ）、そのデータは現在再生中のデータであるが、制御部１１はその現在再生中のデータを再生する（ステップＳ６２）。この場合は、登録モード時にその地点で取得されたデータが１個しか存在しないので、ユーザはそのデータに従って進行方向を判断せざるをえない。但し、通常はこのような１地点で１個のみデータが存在する場合は、データの取得時にそのデータによって進行方向が判明するようなデータが取得されているはずである。しかし、この時点で道に迷ったとユーザが判断した場合にはユーザは操作部１４を操作して前のデータを再生させる指示を与えることが可能である（ステップＳ６３でＹＥＳ）。これに応じて制御部１１はその前回再生したデータを再生するので（ステップＳ６４）、ユーザはその再生されたデータが取得された位置へ戻ることができる。
【００８８】
ところで、前述のステップＳ５９において、ステップＳ５７で検索された複数のデータに現在再生中のデータが含まれていない場合（ステップＳ５９でＮＯ）、現在位置が現在再生中のデータが取得された位置とは異なる位置であり、且つ現在位置で取得されたデータが複数存在することを意味している。従ってこの場合、制御部１１はそれらのデータの内の時刻情報が最も古いデータを再生し（ステップＳ６６）、その後は先述したステップＳ６３へ処理を進めることによって、現在位置に対応した複数のデータを取得された時刻順に再生することが可能になる。
【００８９】
以上のようにして携帯電話機１により再生されるデータ（画像，テキスト，音声）に従って順次的に次のデータを再生させるようにユーザが操作部１４の操作により指示を与えることにより（ステップＳ６３でＮＯ、Ｓ６５でＮＯ）、ユーザは最終的に目的地へ到着することができるので、その時点でマンナビゲーションシステムの実行モードを終了させる（ステップＳ６５でＹＥＳ）。
【００９０】
このような携帯電話機のマンナビゲーションシステムとしての利用方法は都市部を中心として、カーナビゲーションシステムと同様に出発地点と目的地点とを指定することにより道案内をしてくれるサービスが既に提供されてはいるが、本発明ではこれとは異なり極めて個人的な目的でユーザ自身が作成して利用することが可能になる。
【００９１】
更に単なるマンナビゲーションシステムとしてではなく、たとえばハイキング，トレッキングの際に特徴的な地形，樹木等をランドマークとして撮像部２１で撮像した画像をコンテンツのデータとして登録し、また同時にテキスト又は音声で感想等をコンテンツのデータとして登録し、更に分かれ道においてどちらへ進行したかを画像及びテキスト又は音声でコンテンツのデータとして登録しておくような利用方法も可能である。このようなコンテンツのデータが登録されていれば、ユーザ自身は勿論のこと、他の人が利用する場合にも次に同じコースをハイキング，トレッキングする際に迷うことがないし、万一道に迷った場合、あるいは不幸にも遭難した場合にも迅速且つ適切な対処が可能になる。
【００９２】
また上述のようなハイキング，トレッキング等の道順案内に限らず種々の趣味的な利用方法も可能である。たとえば植物採集、昆虫採集等の際に道順と共に採集を行なった場所及び採集した植物又は昆虫の画像をコンテンツのデータとして登録し、更に採集場所及び採集時の状況等をテキスト又は音声でコンテンツのデータとして登録しておく。このようなコンテンツのデータが登録されていれば、ユーザ自身が同じ場所に次に植物採集、昆虫採集に行く場合は勿論のことであるが、他の人がその場所へ植物採集、昆虫採集に行く場合にも利用することが可能になる。
【００９３】
勿論、写真撮影そのものを目的とする利用も可能である。たとえばユーザが猫好きであれば、撮像部２１を利用してアットランダムに撮像した猫の画像をコンテンツのデータとして登録しておく。このような猫の画像のコンテンツのデータが多数登録されている場合、ユーザが任意の場所で猫の画像の再生を行なわせれば、その時点の現在位置周辺で過去に撮像した猫の画像がスライドショーで再生されるので、それらの猫を探すことも可能になる。このような利用方法は他にたとえば、お地蔵様、道祖神、狛犬等の画像を趣味で撮像している場合にも適用できるし、近年流行しているいわゆる路上観察と称される趣味にも適している。
【００９４】
なお更に、写真そのものは銀塩フィルムカメラ又はデジタルカメラで撮影する場合に、携帯電話機１の撮像部２１で同一アングルで撮像を行なった画像をコンテンツのデータとして登録すると共に、撮影場所及び撮影時の状況、更に撮影データ（シャッタ速度，レンズの絞り値，使用レンズ等）等をテキスト又は音声でコンテンツのデータとして登録しておくという利用方法も可能である。このようなコンテンツのデータが登録されていれば、ユーザ自身が同じ場所に次に写真撮影に行く場合は勿論のことであるが、他の人がその場所へ写真撮影に行く場合にも利用することが可能になる。また、携帯電話機１で撮像した画像のデータを、銀塩フィルム写真又はデジタルカメラで撮影した写真のインデクス用のサムネイルとして利用することも可能になる。
【００９５】
更に、携帯電話機１をヘッドフォンステレオとして利用する場合にも、通信部１２を介してインターネット経由で予めダウンロードした音楽のデータ、外部インタフェイス２２を利用して他のパーソナルコンピュータ又はオーディオ機器から取得した音楽のデータ、更には携帯電話機１にＴＶ受信機能（主として地上デジタルＴＶ受信機能）又はラジオ放送の受信機能が備えられている場合にはそれらの放送を受信した音楽のデータをコンテンツＤＢ１９０に登録することが可能である。
【００９６】
このようにしてコンテンツＤＢ１９０に登録された音楽のデータはそれぞれが登録された際の位置情報を付属させるとも可能であるが、前述したようにユーザが任意の位置情報に変更することも可能である。従って、ユーザは自分が移動する範囲内の特定の地点に対応させていくつかの音楽に位置情報を付与することにより、携帯電話機１に対して音楽を再生させる操作を行なうのみで、現在位置に対応する音楽を聞くことが可能になる。このことはユーザが徒歩は勿論のこと、鉄道、バス、自家用車等で移動している場合には、移動状態に応じて再生される音楽が自動的に変わることを意味している。従って、たとえば朝自宅から出勤する時点、自宅の最寄の駅に着いた時点、電車に乗っている間、勤務先の最寄駅に着いた時点、勤務先に着いた時点等に応じて、又はその逆順で再生される音楽が次から次に自動的に変わるようにできる。
【００９７】
たとえば、電車内で読書に専念している場合、勤務先又は自宅の最寄駅、あるいは乗り換え駅で気が付かずに乗り越してしまうことがあり得るが、上述のような携帯電話機１の利用方法を採れば（勿論この場合には、ユーザはイヤフォン又はヘッドフォンを利用する必要がある）、ユーザがたとえば電車内で読書に専念していたとしても、再生される音楽によって現在地が判明するので、電車を乗り越すような虞は解消される。
【００９８】
なお、上述のような携帯電話機１の利用方法において、位置情報ではなく時刻情報に従って再生する音楽を変えることも勿論可能である。この場合、たとえば一般の勤労者にとっては出勤時のスケジュール、即ち自宅を出る時刻、電車に乗る時刻、電車を降りる時刻、勤務先へ到着する時刻等はほぼ一定であることが多い。従って、それぞれの時刻に合わせて異なる音楽が再生されるように、コンテンツＤＢ１９０に登録されている音楽のデータの時刻情報を設定しておけば、携帯電話機１のユーザが朝自宅を出てから勤務先へ到着するまでの間の通常のスケジュールに対応して異なる音楽を順次的に再生することも可能である。
【００９９】
また画像データに関しても上述同様に位置情報を任意に変更することにより、ユーザの意図した再生方法が可能になる。たとえば、取引先の会社の従業員の顔写真、名刺等の画像データ及び氏名，役職，過去の取引状況等のテキストデータにその会社の位置情報を付属させておけば、取引先の会社へ商談に行った場合に商談を開始するまでの時間にスライドショーを実行させることにより、過去の取引状況、担当者の顔等を確認しておくことが可能になる。
【０１００】
更にまた、単純に画像のスライドショーを現在位置に応じて楽しむ利用方法も可能である。たとえば、ユーザが過去に旅行した際に撮影した写真をそれらが撮影された際の位置情報と対応付けてコンテンツＤＢ１９０に登録しておけば（撮像部２１で撮像した画像データと位置検出部１３が検出した位置情報とを自動的に対応付けてコンテンツＤＢ１９０に登録しておいてもよいし、たとえば銀塩フィルムカメラ又はデジタルカメラで撮影した写真の画像データを外部から取り込んで位置情報を付与してコンテンツＤＢ１９０に登録してもよい）、ユーザが再度同一の場所へ旅行した際に、前回（あるいは更にそれ以前）に撮影した写真を位置情報に従って自動的にスライドショーとして再生表示することも可能である。
【０１０１】
ところで、デスクトップタイプのパーソナルコンピュータは、屋内で設置場所を変えたり、ユーザが転居したりした場合以外には移動しないことが前提となっている。従って、デスクトップタイプのパーソナルコンピュータでは、時刻情報はともかくとして、自身の位置情報を取得する必要はなく、またそのような機能も通常は備えられていない。一方、従来のスライドフィルムを使用したスライドショーに代えて、パーソナルコンピュータを利用したスライドショーは広く利用されており、また近年ではプロジェクタにパーソナルコンピュータを接続してスライドショーを行なうことも可能になっている。更に近年ではハードディスク等に大量の音楽データを蓄積することによって、パーソナルコンピュータをＣＤプレーヤ等の音楽再生装置と同等の機能を有する装置として利用することも可能になっている。
【０１０２】
このような事情から、スライドショーの実行に際して予め設定した音楽をＢＧＭとして再生することが可能なアプリケーションプログラムも存在する。このようなアプリケーションプログラムでは複数の画像データをグループ化し、各グループに含まれる複数の画像データを一連のスライドショーとして再生表示するが、その際にＢＧＭとして再生される音楽が固定的に対応付けられる。従って、このようなアプリケーションプログラムの利用に際しては、スライドショーの対象となる画像データを予めグループ化（一般にアルバムと称される）しておく必要があり、また各グループのＢＧＭとして使用する音楽を指定しておく必要もある。
【０１０３】
以上のような事情から、たとえばユーザが旅行する都度撮影した写真をパーソナルコンピュータでスライドショーとして再生表示させる場合には、たとえば１回の旅行で撮影した写真の画像データをスライドショーの対象としてグループ化するか、または１回の旅行の内の異なる訪問地で撮影した写真の画像データをスライドショーの対象としてグループ化し、それぞれにＢＧＭとして使用する音楽を予め設定する必要があった。
【０１０４】
一方、スライドショーのＢＧＭを毎回異なる音楽にするためには、ＢＧＭをスライドショーに対して予め設定するのではなく、音楽再生用のアプリケーションプログラムで音楽を再生させる操作と、スライドショー用のアプリケーションプログラムでスライドショーを実行させる操作との二つの操作を別々にパーソナルコンピュータに対して行ない、両者を並行処理させればよい。しかしこの場合、スライドショーの実行中にＢＧＭが終了したり、逆にスライドショーが終了した後も音楽の再生は終了しない可能性もある。
【０１０５】
そこで、本発明の一実施の形態では、スライドショーの実行に際して、再生表示される画像データに付属する位置情報に対応した音楽をＢＧＭとして自動的に再生することを可能にする。なお、本実施の形態は主としてデスクトップタイプのパーソナルコンピュータで実施することを前提としているが、携帯電話機，ＰＤＡ，カーナビゲーションシステム等で実施することも勿論可能である。
【０１０６】
図８は本実施の形態のコンテンツ再生装置としてのパーソナルコンピュータの内部構成例を示すブロック図である。この図８に示すパーソナルコンピュータの内部構成例は、図１に示した携帯電話機の内部構成例と基本的には類似している。
【０１０７】
具体的には、パーソナルコンピュータ１００は、ＣＰＵ１１１、インターネット通信可能な通信部１１２、キーボード及びマウス等で構成される操作部１１４、現在時刻としての絶対時刻（年月日時分秒）を計時する計時部１１５、起動プログラムを記憶したＲＯＭ１１６、ＣＰＵ１１１による制御に伴なって発生する種々のデータを一時記憶するＲＡＭ１１７、液晶モニタ等を利用した表示部１１８、書き換え可能であり且つ電源が遮断された場合にもデータを保持することが可能な不揮発性メモリとしてのハードディスクドライブ（ＨＤＤ）１１９、ＣＤ−ＲＯＭ等の可搬タイプの記録媒体からプログラム，データ等を読み込むためのたとえばＣＤドライブ等の補助記憶装置１２０、他の機器、たとえばデジタルカメラ等とケーブルを介して、または赤外線通信（IrDA）等で通信するための外部インタフェイス１２２、音声出力のためのスピーカ１２４等を備えている。なお、図８に示すパーソナルコンピュータでは、図１に示した携帯電話機１に備えられているデータ変換部２５に対応する機能はＣＰＵ１１１によるソフトウェア的な処理で実現される。
【０１０８】
また、スピーカ１２４から発声される音声はデジタルデータの音声信号がＤ／Ａ（デジタル／アナログ変換器）１２５によってアナログの音声信号に変換された後にスピーカ１２４に与えられる。なお、参照符号１２６はイヤフォン（ヘッドフォン）ジャックであり、適宜のイヤフォン（ヘッドフォン）のプラグを挿入することにより、スピーカ１２４からではなくイヤフォン（ヘッドフォン）から音声を出力させることが可能になる。
【０１０９】
なお、ＨＤＤ１１９には図１に示した携帯電話機１の場合と同様のコンテンツＤＢ１９０及びコンピュータプログラムとしてのコンテンツ処理プログラム１９５が記憶されている。コンテンツＤＢ１９０及びコンテンツ処理プログラム１９５に関しては図１に示した携帯電話機１のコンテンツＤＢ及びコンテンツ処理プログラムと同様であるのでその説明は省略する。
【０１１０】
図９及び図１０は図８に示す構成のパーソナルコンピュータによってスライドショーを実行する際のＣＰＵ１１１による制御手順を示すフローチャートである。なお、ＣＰＵ１１１はＨＤＤ１１９に記憶されているコンテンツ処理プログラム１９５に従ってこのフローチャートの処理手順を実行する。
【０１１１】
ユーザがたとえば表示部１１８に表示されている所定のアイコンを操作部１１４のマウスでクリックする等の操作を行なうと、ＣＰＵ１１１はスライドショーの実行を開始する（ステップＳ７１でＹＥＳ）。なお、スライドショーの実行の開始が指示されない場合は（ステップＳ７１でＮＯ）、ＣＰＵ１１１はユーザによる操作等に応じて他の処理を実行する（ステップＳ７２）。
【０１１２】
スライドショーの実行を開始する操作が行なわれた場合、ＣＰＵ１１１は条件設定が行なわれたか否かを判断する（ステップＳ７３）。ここで、条件設定が行なわれ（ステップＳ７３でＹＥＳ）、その条件が期間設定である場合（ステップＳ７４でＹＥＳ）、ＣＰＵ１１１は期間の設定を受け付ける（ステップＳ７５）。ここで受け付けられる期間とは、たとえば「2002年」のような年単位、「2002年１〜６月」のような月単位、更には周単位、日単位であってもよい。いずれにしろ、ステップＳ７５で受け付けられた期間をキーとしてＣＰＵ１１１はコンテンツＤＢ１９０を時刻情報の順に検索する（ステップＳ７６）。
【０１１３】
コンテンツＤＢ１９０を検索した結果、対応する画像データが存在する場合は（ステップＳ７７でＹＥＳ）、ＣＰＵ１１１はその画像データを表示部１８に再生表示し（ステップＳ７８）、その画像データに付属する位置情報に対応する音楽データ、即ち同じ位置情報が付属する音楽情報をコンテンツＤＢ１９０から検索する（ステップＳ７９）。この検索の結果、対応する音楽データがコンテンツＤＢ１９０に登録されている場合は（ステップＳ８０でＹＥＳ）、ＣＰＵ１１１はその音楽データをスピーカ２４から再生出力し（ステップＳ８１）、ない場合は（ステップＳ８０でＮＯ）、ＣＰＵ１１１は所定の音楽データを再生出力する（ステップＳ８２）。この場合、所定の音楽データが再生出力されることにより、ユーザは画像に対応する音楽がコンテンツＤＢ１９０に登録されていないことを認識することが可能になる。但し、音楽データを再生しない、即ちＢＧＭなしでスライドショーを実行するようにしてもよいし、ランダムに音楽データを選択して再生出力するようにしてもよい。
【０１１４】
次にＣＰＵ１１１は画像データに付属する位置情報が変わったか否かを調べる（ステップＳ８３）。但し、最初の画像データが再生表示される際にはこのステップＳ８３での処理は行なわれない。そして、ＣＰＵ１１１はスライドショーの各画像を表示する時間として予め設定されている所定時間が経過するまで待機し（ステップＳ８３、Ｓ８５でＮＯ）、所定時間が経過すると（ステップＳ８３でＮＯ、ステップＳ８５でＹＥＳ）、先のステップＳ７７へ処理を戻す。上記の所定時間が経過するまで待機している間は、ステップＳ７８で表示された画像データが表示部１８に表示され続けており、またステップＳ８１で再生出力された音楽データの再生出力が継続される。
【０１１５】
ステップＳ８５で所定時間が経過したと判断されると、ＣＰＵ１１１はステップＳ７７へ処理を戻すので、ステップＳ７６で時刻情報の順に検索されている次の画像データが存在すればその画像データが表示部１８に前述同様にして表示表示される。またこの場合、新たに表示部１８に表示された画像データに付属する位置情報がその直前に表示されていた画像データに付属する位置情報と変わっていなければ（ステップＳ８３でＮＯ）、ＣＰＵ１１１は音楽データに関しては再生出力状態をそのまま継続させる。しかし、新たに表示部１８に表示された画像データに付属する位置情報がその直前に表示されていた画像データに付属する位置情報とは異なる場合は（ステップＳ８３でＹＥＳ）、ＣＰＵ１１１はステップＳ７９へ処理を戻す。これにより、新たに表示された画像データに付属する位置情報に対応する音楽データが前述同様にしてコンテンツＤＢ１９０から検索されるステップＳ７９以降の処理が反復される。
【０１１６】
以上のような処理により、たとえばユーザが期間設定をある１年間に設定した場合、その１年間にユーザが撮影した写真の画像データがコンテンツＤＢ１９０から順次的に読み出されてスライドショー形式で表示部１８に表示され、実質的に同一の位置（たとえばある程度の範囲の観光地等）の写真がスライドショーとして順次的に表示されている間はその位置に対応する音楽がＢＧＭとして再生出力される。この場合のＢＧＭとしては、ユーザが予め好みの曲に位置情報を付与してコンテンツＤＢ１９０に登録しておいてもよいし、たとえばユーザが実際に旅行した際に録音した駅のアナウンス，有名な寺院の梵鐘の音等であってもよい。
【０１１７】
そして、一つの観光地で撮影した写真が全てスライドショーとして再生表示されると次はその次にユーザが訪問した観光地で撮影した写真が全てスライドショーとして再生表示される。従って、スライドショーとして表示される写真がある観光地から他の観光地へ切り換わると、それに応じて再生出力されるＢＧＭも異なる音楽に自動的に切り換わる。
【０１１８】
なお、ステップＳ７３においてユーザが条件設定を行なわなかった場合（ステップＳ７３でＮＯ）、ＣＰＵ１１１はコンテンツＤＢ１９０から全ての画像データを時刻情報の順に検索し（ステップＳ９１）、画像データが登録されていればスライドショーを実行する（ステップＳ７７でＹＥＳ）。この場合にスライドショーとして表示部１８に表示される画像に対応するＢＧＭも前述同様にしてコンテンツＤＢ１９０から検索されて再生出力される。
【０１１９】
更に、ステップＳ７４においてユーザが期間設定以外の条件設定、たとえば位置情報で条件設定を行なった場合（ステップＳ７４でＮＯ）、ＣＰＵ１１１は条件設定を受け付け（ステップＳ９２）、設定された条件でコンテンツＤＢ１９０を検索し（ステップＳ９３）、条件を満たす画像データが登録されていればスライドショーを実行する（ステップＳ７７でＹＥＳ）。この場合にスライドショーとして表示部１８に表示される画像に対応するＢＧＭも前述同様にしてコンテンツＤＢ１９０から検索されて再生出力される。
なお、いずれの場合も画像データが登録されていなければ（ステップＳ７７でＮＯ）、この処理は終了する。
【０１２０】
以上のように本発明に係るコンテンツ再生装置によれば、従来のように特定のキーワードで検索するのではなく位置情報及び／又は時刻情報で検索してコンテンツを再生するので、ユーザが自分専用のマンナビゲーションシステムを作成することが可能になる。また、従来の予めグループ化された画像データを対象として実行されていたスライドショーをたとえば任意の期間を指定してその間に撮影された写真の画像データを対象として実行させたり、固定的に対応付けられていたＢＧＭを写真が撮影された位置情報に応じて自動的に異ならせたりもすることが可能になる。
【図面の簡単な説明】
【０１２１】
【図１】本発明に係るコンテンツ再生装置を携帯電話機に適用した場合の内部構成例を示す機能ブロック図である。
【図２】本発明のコンテンツ再生装置としての携帯電話機のインデクス領域の記憶内容を示す模式図である。
【図３】本発明のコンテンツ再生装置としての携帯電話機による各種データをコンテンツのデータとして取得する際の基本的な処理手順を示すフローチャートである。
【図４】本発明のコンテンツ再生装置である携帯電話機によるコンテンツの再生の際の処理手順を示すフローチャートである。
【図５】本発明のコンテンツ再生装置をマンナビゲーションシステムとして利用する場合のデータ取得時の処理手順を示すフローチャートである。
【図６】マンナビゲーションシステムを利用する場合の処理手順を示すフローチャートである。
【図７】マンナビゲーションシステムを利用する場合の処理手順を示すフローチャートである。
【図８】本発明のコンテンツ再生装置としてのパーソナルコンピュータの内部構成例を示すブロック図である。
【図９】図８に示す構成のパーソナルコンピュータによってスライドショーを実行する際のＣＰＵによる制御手順を示すフローチャートである。
【図１０】図８に示す構成のパーソナルコンピュータによってスライドショーを実行する際のＣＰＵによる制御手順を示すフローチャートである。
【符号の説明】
【０１２２】
１  携帯電話機
１１  制御部
１３  位置検出部
１５  計時部
１８  表示部
２１  撮像部
２２  外部インタフェイス
２３  マイクロフォン
２４  スピーカ
１００  パーソナルコンピュータ
１１１  ＣＰＵ
１１５  計時部
１１８  表示部
１２２  外部インタフェイス
１９０  コンテンツデータベース（ＤＢ）
１９１  インデクス領域
１９２  コンテンツ記憶領域
１９５  コンテンツ処理プログラム
【図１】
2006338553.tif 000003
【図２】
2006338553.tif 000004
【図３】
2006338553.tif 000005
【図４】
2006338553.tif 000006
【図５】
2006338553.tif 000007
【図６】
2006338553.tif 000008
【図７】
2006338553.tif 000009
【図８】
2006338553.tif 000010
【図９】
2006338553.tif 000011
【図１０】
2006338553.tif 000012